(57)【要約】【課題】ＥＬ表示装置の製造方法において、歩留まりを向上させることを目的とする。【解決手段】複数個の画素を配列して配置した発光部を形成した基板に封止用基板３１を貼り合わせる工程を有するＥＬ表示装置の製造方法において、封止用基板３１を貼り合わせる工程は、封止用基板３１の周縁部にダム剤４５を塗布してダム部を形成する工程を有し、ダム部を形成する工程は、封止用基板３１のダム剤４５を塗布する表面と同一平面上に表面が存在するダミー基板４２と、ダム剤４５を塗布する塗布ノズル４４とを有する塗布装置を用い、ダミー基板４２の横に封止用基板３１を保持させた後、塗布ノズル４４からダム剤４５を塗布する第１の動作と、第１の動作を繰り返し行う間に設けられ、ダミー基板４２にダム剤４５の捨て打ち動作を行う第２の動作とを有する。【選択図】図４
2014212087.tif 000002
【特許請求の範囲】
【請求項１】
複数個の画素を配列して配置した発光部を形成した基板に封止用基板を貼り合わせる工程を有するＥＬ表示装置の製造方法において、
前記封止用基板を貼り合わせる工程は、封止用基板の周縁部にダム剤を塗布してダム部を形成する工程を有し、
前記ダム部を形成する工程は、前記封止用基板のダム剤を塗布する表面と同一平面上に表面が存在するダミー基板と、ダム剤を塗布する塗布ノズルとを有する塗布装置を用い、
前記ダミー基板の横に前記封止用基板を保持させた後、前記塗布ノズルからダム剤を塗布する第１の動作と、前記第１の動作を繰り返し行う間に設けられ、前記ダミー基板にダム剤の捨て打ち動作を行う第２の動作とを有することを特徴とするＥＬ表示装置の製造方法。
【請求項２】
前記ダム部を形成する工程は、第１の動作を行う前に、ダミー基板にダム剤を塗布する試し打ち動作を行う第３の動作を有することを特徴とする請求項１に記載のＥＬ表示装置の製造方法。
【発明の詳細な説明】
【技術分野】
【０００１】
本技術は、ＥＬ表示装置の製造方法に関するものである。
【背景技術】
【０００２】
近年、次世代の表示装置が盛んに開発されており、駆動用基板に、第１電極、発光層を含む複数の有機層および第２電極を順に積層したＥＬ（Ｅｌｅｃｔｒｏｌｕｍｉｎｅｓｃｅｎｃｅ）表示装置が注目されている。ＥＬ表示装置は、自発光型であるので視野角が広く、バックライトを必要としないので省電力が期待でき、応答性が高く、装置の厚みを薄くできるなどの特徴を有している。そのため、テレビ等の大画面表示装置への応用が強く望まれている。
【０００３】
カラーディスプレイ用としては赤と青と緑の三色の画素による表示が最も一般的であり、省電力化や信頼性などを目的として赤と青と緑と白や赤と青と緑と薄青などの四色の画素による表示技術も各社で開発が進んでいる。
【０００４】
有機ＥＬ発光素子においては画素ごとに赤と青と緑の三色や赤と青と緑と白などの四色に有機ＥＬ発光部を形成する必要がある。
【０００５】
個別の有機ＥＬ部を形成する工法として最も一般的な工法は微細な穴の開いたファインメタルマスクを用いて、穴の部分だけに蒸着により有機ＥＬ部を形成する工法である。例えば、赤用ファインメタルマスクにより赤色に発色する有機ＥＬ部を蒸着により形成し、緑用ファインメタルマスクにより緑色に発色する有機ＥＬ部を蒸着により形成し、青用ファインメタルマスクにより青色に発色する有機ＥＬ部を蒸着により形成して、赤と緑と青の発光部が形成される。
【０００６】
一方大型の有機ＥＬ発光素子の作成やコストダウンには大型基板による有機ＥＬ発光素子技術の開発が重要である。
【０００７】
近年、大型基板による有機ＥＬ発光素子を形成する方法として二つの方法が注目されている。
【０００８】
一つ目の工法は白色有機ＥＬ素子を表示領域全域に形成し、赤と緑と青と白の四色のカラーフィルターにより着色表示させる方法である。この方法は大画面を形成したり、高精細ディスプレイ作成には有効な方法である。
【０００９】
大型基板による有機ＥＬ発光素子の形成方法として注目されているもうひとつの工法は、塗布法により有機ＥＬ発光部を形成する方法である。塗布法としては様々な工法が検討されてきたが、大きく分けると凸版印刷やフレキソ印刷やスクリーン印刷やグラビア印刷などを用いるものとインクジェット法を用いるものである（特許文献１参照）。
【先行技術文献】
【特許文献】
【００１０】
【特許文献１】特開２０１１−２４９０８９号公報
【発明の概要】
【発明が解決しようとする課題】
【００１１】
本技術はこのようなＥＬ表示装置の製造方法において、歩留まりを向上させることを目的とする。
【課題を解決するための手段】
【００１２】
この目的を達成するために本技術は、複数個の画素を配列して配置した発光部を形成した基板に封止用基板を貼り合わせる工程を有するＥＬ表示装置の製造方法において、前記封止用基板を貼り合わせる工程は、封止用基板の周縁部にダム剤を塗布してダム部を形成する工程を有し、前記ダム部を形成する工程は、前記封止用基板のダム剤を塗布する表面と同一平面上に表面が存在するダミー基板と、ダム剤を塗布する塗布ノズルとを有する塗布装置を用い、前記ダミー基板の横に前記封止用基板を保持させた後、前記塗布ノズルからダム剤を塗布する第１の動作と、前記第１の動作を繰り返し行う間に設けられ、前記ダミー基板にダム剤の捨て打ち動作を行う第２の動作とを有することを特徴とする。
【発明の効果】
【００１３】
本技術によれば、ＥＬ表示装置を製造する際に、歩留まりを向上させることが可能となる。
【図面の簡単な説明】
【００１４】
【図１】本技術の一実施の形態による有機ＥＬ表示装置の斜視図である。
【図２】画素回路の回路構成を示す電気回路図である。
【図３】ＥＬ表示装置において、ＲＧＢの画素部分の断面構造を示す断面図である。
【図４】本技術の一実施の形態によるＥＬ表示装置の製造方法において、封止用基板の周縁部にダム剤を塗布してダム部を形成する工程の概略構成を示す工程図である。
【図５】本技術の一実施の形態によるＥＬ表示装置の製造方法において、封止用基板の周縁部にダム剤を塗布してダム部を形成する工程の概略構成を示す工程図である。
【図６】本技術の一実施の形態によるＥＬ表示装置の製造方法において、封止用基板の周縁部にダム剤を塗布してダム部を形成する工程の概略構成を示す工程図である。
【図７】本技術の一実施の形態によるＥＬ表示装置の製造方法において、封止用基板の周縁部にダム剤を塗布してダム部を形成する工程の概略構成を示す工程図である。
【図８】本技術の一実施の形態によるＥＬ表示装置の製造方法において、封止用基板の周縁部にダム剤を塗布してダム部を形成する工程の概略構成を示す工程図である。
【発明を実施するための形態】
【００１５】
以下、本技術の一実施の形態によるＥＬ表示装置の製造方法について、図１〜図８の図面を用いて説明する。
【００１６】
図１はＥＬ表示装置の概略構成を示す斜視図、図２は画素を駆動する画素回路の回路構成を示す図である。
【００１７】
図１、図２に示すように、ＥＬ表示装置は、下層より、複数個の薄膜トランジスタを配置した薄膜トランジスタアレイ装置１と、下部電極である陽極２、有機材料からなる発光層３及び透明な上部電極である陰極４からなる発光部との積層構造により構成され、発光部は薄膜トランジスタアレイ装置１により発光制御される。また、発光部は、一対の電極である陽極２と陰極４との間に発光層３を配置した構成であり、陽極２と発光層３の間には正孔輸送層が積層形成され、発光層３と透明な陰極４の間には電子輸送層が積層形成されている。薄膜トランジスタアレイ装置１には、複数の画素５がマトリックス状に配置されている。
【００１８】
各画素５は、それぞれに設けられた画素回路６によって駆動される。また、薄膜トランジスタアレイ装置１は、行状に配置される複数のゲート配線７と、ゲート配線７と交差するように列状に配置される複数の信号配線としてのソース配線８と、ソース配線８に平行に延びる複数の電源配線９（図１では省略）とを備える。
【００１９】
ゲート配線７は、画素回路６のそれぞれに含まれるスイッチング素子として動作する薄膜トランジスタ１０のゲート電極１０ｇを行毎に接続する。ソース配線８は、画素回路６のそれぞれに含まれるスイッチング素子として動作する薄膜トランジスタ１０のソース電極１０ｓを列毎に接続する。電源配線９は、画素回路６のそれぞれに含まれる駆動素子として動作する薄膜トランジスタ１１のドレイン電極１１ｄを列毎に接続する。
【００２０】
図２に示すように、画素回路６は、スイッチ素子として動作する薄膜トランジスタ１０と、駆動素子として動作する薄膜トランジスタ１１と、対応する画素に表示するデータを記憶するキャパシタ１２とで構成される。
【００２１】
薄膜トランジスタ１０は、ゲート配線７に接続されるゲート電極１０ｇと、ソース配線８に接続されるソース電極１０ｓと、キャパシタ１２及び薄膜トランジスタ１１のゲート電極１１ｇに接続されるドレイン電極１０ｄと、半導体膜（図示せず）とで構成される。この薄膜トランジスタ１０は、接続されたゲート配線７及びソース配線８に電圧が印加されると、当該ソース配線８に印加された電圧値を表示データとしてキャパシタ１２に保存する。
【００２２】
薄膜トランジスタ１１は、薄膜トランジスタ１０のドレイン電極１０ｄに接続されるゲート電極１１ｇと、電源配線９及びキャパシタ１２に接続されるドレイン電極１１ｄと、陽極２に接続されるソース電極１１ｓと、半導体膜（図示せず）とで構成される。この薄膜トランジスタ１１は、キャパシタ１２が保持している電圧値に対応する電流を電源配線９からソース電極１１ｓを通じて陽極２に供給する。すなわち、上記構成のＥＬ表示装置は、ゲート配線７とソース配線８との交点に位置する画素５毎に表示制御を行うアクティブマトリックス方式を採用している。
【００２３】
また、ＥＬ表示装置において、少なくとも赤色、緑色および青色の発光色で発光する発光部は、少なくとも赤色（Ｒ）、緑色（Ｇ）、青色（Ｂ）の発光層を有するサブピクセルが複数個マトリクス状に配列されて複数個の画素が形成されている。各画素を構成するサブピクセルは、バンクによって互いに分離されている。このバンクは、ゲート配線７に平行に延びる突条と、ソース配線８に平行に延びる突条とが互いに交差するように形成することにより設けられる。そして、この突条で囲まれる部分、すなわちバンクの開口部にＲＧＢの発光層を有するサブピクセルが形成されている。
【００２４】
図３は、ＥＬ表示装置において、ＲＧＢのサブピクセル部分の断面構造を示す断面図である。図３に示すように、ＥＬ表示装置は、ガラス基板、フレキシブル樹脂基板などのベース基板２１上に、上述した画素回路６を構成する薄膜トランジスタアレイ装置２２を形成している。また、薄膜トランジスタアレイ装置２２には、平坦化絶縁膜（図示せず）を介して下部電極である陽極２３が形成されている。そして、陽極２３上には、正孔輸送層２４、有機材料からなるＲＧＢに発光する発光層２５、電子輸送層２６、透明な上部電極である陰極２７が順に積層形成され、これによりＲＧＢの有機ＥＬ発光部が構成されている。
【００２５】
また、発光部の発光層２５は、絶縁層であるバンク２８により区画された領域に形成されている。バンク２８は、陽極２３と陰極２７との絶縁性を確保するとともに、発光領域を所定の形状に区画するためのものであり、例えば酸化シリコンまたはポリイミドなどの感光性樹脂により構成されている。
【００２６】
なお、上記実施の形態においては、正孔輸送層２４、電子輸送層２６のみを示しているが、正孔輸送層２４、電子輸送層２６それぞれには、正孔注入層、電子注入層が積層形成されている。
【００２７】
このように構成された発光部は、窒化ケイ素などの封止層２９により被覆され、さらにこの封止層２９上に接着層３０を介して透明なガラス基板、フレキシブル樹脂基板などの封止用基板３１が全面にわたって貼り合わされることにより封止されている。また、封止用基板３１を貼り合わせる工程では、封止用基板３１の周縁部にダム剤を塗布してダム部を形成し、ダム部の内側に接着層３０を塗布して封止用基板３１を貼り合わせを行う。
【００２８】
ここで、ベース基板２１としては、その形状、材質、大きさ等については、特に制限はなく、目的に応じて適宜選択することができる。例えば、無アルカリガラス、ソーダガラスなどのガラス材料やシリコン基板でも金属基板でも良い。また、軽量化やフレキシブル化を目的として高分子系材料を用いても良い。高分子系材料としては、ポリエチレンテレフタレート、ポリカーボネート、ポリエチレンナフタレート、ポリアミド、ポリイミドなどが適しているが、その他のアセテート系樹脂やアクリル系樹脂やポリエチレンやポリプロピレンやポリ塩化ビニル樹脂などの既知の高分子基板材料を用いても良い。高分子系材料を基板として用いるときには、ガラスなどの剛性のある基材の上に高分子基板を塗布法や貼り付けなどで形成した後、有機ＥＬ発光素子を形成し、その後ガラスなどの剛性のある基材を除去する製造方法が用いられる。
【００２９】
陽極２３は、アルミニウムやアルミニウム合金や銅などの導電性の良い金属材料や、光透過性のＩＺＯ、ＩＴＯ、酸化スズ、酸化インジウム、酸化亜鉛などの電気伝導度の高い金属酸化物や金属硫化物などにより構成される。成膜方法としては、真空蒸着法やスパッタリング法やイオンプレーティング法などの薄膜形成法が用いられる。
【００３０】
正孔輸送層２４は、ポリビニルカルバゾール系材料、ポリシラン系材料、ポリシロキサン誘導体、銅フタロシアニンなどのフタロシアニン系化合物や芳香族アミン系化合物等などが用いられる。成膜方法としては、各種の塗布工法を用いることが可能であり、１０ｎｍ〜２００ｎｍ程度の厚みに形成される。また、正孔輸送層２４に積層される正孔注入層は、陽極２３からの正孔注入を高める層であり、酸化モリブデンや酸化バナジウムや酸化アルミニウムなどの金属酸化物、金属窒化物、金属酸化窒化物をスパッタ法により形成される。
【００３１】
発光層２５は、蛍光や燐光などを発光する有機系材料を主成分とし、必要に応じてドーパントを添加して特性を改善する。印刷法に適した高分子系有機材料としては、ポリビニルカルバゾール誘導体、ポリパラフェニリン誘導体、ポリフルオレン誘導体、ポリフェニレンビニレン誘導体などが用いられる。ドーパントは、発光波長のシフトや発光効率の改善のために用いられるものであり、色素系および金属錯体系のドーパントが数多く開発されている。また、大型基板に発光層２５を形成する場合には印刷法が適しており、各種の印刷法の中でもインクジェット法が用いられ、２０ｎｍ〜２００ｎｍ程度の厚みの発光層２５が形成される。
【００３２】
電子輸送層２６は、ベンゾキノン誘導体、ポリキノリン誘導体、オキサジアゾール誘導体などの材料が用いられる。成膜方法としては、真空蒸着法や塗布法が用いられ、通常１０ｎｍ〜２００ｎｍ程度の厚みに形成される。また、電子注入層は、バリウム、フタロシアニン、フッ化リチウムなどの材料が用いられ、真空蒸着法や塗布法により形成される。
【００３３】
陰極２７は、光の取り出し方向により材料が異なり、陰極２７側から光を取り出す場合は、ＩＴＯ、ＩＺＯ、酸化スズ、酸化亜鉛などの光透光性の導電材料を用いる。陽極２３側から光を取り出す場合は、白金、金、銀、銅、タングステン、アルミニウム及びアルミニウム合金などの材料を用いる。成膜方法としては、スパッタ法や真空蒸着法が用いられ、５０ｎｍ〜５００ｎｍ程度の厚みに形成される。
【００３４】
バンク２８は、領域内に発光層２５の材料を含む溶液を十分な量で充填するために必要な構造物で、フォトリソ法によって所定の形状に形成される。バンク２８の形状により、有機ＥＬ発光部のサブピクセルの形状を制御することができる。
【００３５】
図４から図８は、本技術の一実施の形態によるＥＬ表示装置の製造方法において、封止用基板３１の周縁部にダム剤を塗布してダム部を形成する工程の概略構成を示す工程図である。
【００３６】
図４に示すように、ダム部を形成するための塗布装置は、搬送されてきた封止用基板３１が載置されるステージ４１と、封止用基板３１のダム剤を塗布する表面と同一平面上に表面が存在するダミー基板４２と、ダミー基板４２を保持するダミー基板保持部４３と、封止用基板３１の表面の周縁部に枠状にダム剤を塗布する塗布ノズル４４とを有する。図示していないが、塗布装置は、上記構成部品以外に、塗布ノズル４４を移動させるための駆動機構、塗布ノズル４４からダム剤を吐出させるための吐出機構などを備えている。なお、ダミー基板４２は、定期的に交換可能となるように、ダミー基板保持部４３に設置される。
【００３７】
ダム部を形成する工程は、まず、図４に示すように、封止用基板３１を搬送してステージ４１に載置する。封止用基板３１をステージ４１に載置したとき、ダミー基板４２の横に封止用基板３１が保持された状態となる。その後、塗布ノズル４４を図４に示す待機場所から移動させ、図５に示すように、封止用基板３１の周縁部に塗布ノズル４４からダム剤４５を吐出させて塗布する。この動作がダム部を形成する工程の第１の動作となる。
【００３８】
図６に示すように、封止用基板３１にダム剤４５を塗布した後は、塗布ノズル４４が待機場所に移動する。その後、ダム剤４５を塗布した封止用基板３１を次の工程に搬送し、次の新たな封止用基板３１をステージ４１に載置する。その後、封止用基板３１にダム剤４５を塗布する第１の動作を繰り返し行う。
【００３９】
このように第１の動作を繰り返し行うことにより、塗布ノズル４４の先端にダム剤４５が付着し、塗布ノズル４４が目詰まりして、封止用基板３１にダム剤４５を精度よく塗布することができなくなる。
【００４０】
そこで、上記第１の動作の間に、図７に示すように、ダミー基板４２にダム剤４５を捨て打ちする動作を行う。この捨て打ち動作が第２の動作となる。この第２の動作の一例としては、塗布ノズル４４内のダム剤に高い圧力を加えてダム剤４５を間欠的に吐出させる方法や、ダミー基板４２に塗布ノズル４４の先端に付着したダム剤４５を拭き取るシートを配置する方法がある。
【００４１】
このように塗布ノズル４４からダム剤４５を塗布する第１の動作と、第１の動作を繰り返し行う間に設けられ、ダミー基板４２にダム剤４５の捨て打ち動作を行う第２の動作とを繰り返し行うことにより、封止用基板３１にダム部を精度よく形成することが可能となる。
【００４２】
また、本技術においては、図８に示すように、第１の動作を行う前に、ダミー基板４２にダム剤４５を塗布する試し打ち動作を行う第３の動作を有している。
【００４３】
この第３の動作である試し打ち動作は、封止用基板３１のダム剤４５を塗布する表面と同一平面上に表面が存在するダミー基板４２を用い、塗布ノズル４４の位置合わせを行う動作である。塗布ノズル４４を新しい塗布ノズル４４に交換したとき、ダミー基板４２にダム剤４５を吐出して塗布する試し打ち動作を行う。試し打ちされたダム剤４５は、カメラで画像を撮影し、基準となる塗布位置に塗布されているかどうかの確認を行い、正しいと判定された後、第１の動作を行う。
【００４４】
以上のように本技術によれば、封止用基板３１にダム部を精度よく形成することが可能となり、これによりＥＬ表示装置の製造時の歩留まりを向上させることができる。
【００４５】
なお、上記実施の形態においては、より高精細化を実現しやすい構造であるトップエミッション型で作成したが、本技術はボトムエミッション構造にも有効な技術である。
【産業上の利用可能性】
【００４６】
以上のように本技術によれば、ＥＬ表示装置を製造する際の歩留まりを向上させる上で有用な発明である。
【符号の説明】
【００４７】
１，２２    薄膜トランジスタアレイ装置
２，２３    陽極
３，２５    発光層
４，２７    陰極
５    画素
６    画素回路
７    ゲート配線
８    ソース配線
９    電源配線
１０，１１    薄膜トランジスタ
２１    ベース基板
２４    正孔輸送層
２６    電子輸送層
２８    バンク
２９    封止層
３０    接着層
３１    封止用基板
４１    ステージ
４２    ダミー基板
４３    ダミー基板保持部
４４    塗布ノズル
４５    ダム剤
【図１】
2014212087.tif 000003
【図２】
2014212087.tif 000004
【図３】
2014212087.tif 000005
【図４】
2014212087.tif 000006
【図５】
2014212087.tif 000007
【図６】
2014212087.tif 000008
【図７】
2014212087.tif 000009
【図８】
2014212087.tif 000010